(57)【要約】【課題】かつらや毛束を簡単かつ確実に自毛に取付けることができるかつら取付方法及び毛束取付方法を提供する。【解決手段】かつらを人の自毛６に取付けるかつら取付方法において、自毛６を、かつらの一部（４ａ）を巻き込むように結び付け、その結び目６ａに光硬化性樹脂８を付着させ、この付着させた光硬化性樹脂８に光を照射することにより光硬化性樹脂８を硬化させる。【選択図】図２Ｎ
2010053489.tif 000002
【特許請求の範囲】
【請求項１】
かつらを人の自毛に取付けるかつら取付方法において、
前記自毛を、前記かつらの一部を巻き込むように結び付け、
その結び目に光硬化性樹脂を付着させ、
該付着させた光硬化性樹脂に光を照射することにより該光硬化性樹脂を硬化させる、
ことを特徴とするかつら取付方法。
【請求項２】
前記付着させた光硬化性樹脂を平面状に引き伸ばし、該引き伸ばした光硬化性樹脂に光を照射することにより該光硬化性樹脂を硬化させることを特徴とする請求項１記載のかつら取付方法。
【請求項３】
前記かつらの一部は、該かつらの周縁に沿って設けられた固定用糸であることを特徴とする請求項１又は請求項２記載のかつら取付方法。
【請求項４】
毛束を人の自毛に取付ける毛束取付方法において、
前記自毛を、前記毛束を巻き込むように結び付け、
その結び目に光硬化性樹脂を付着させ、
該付着させた光硬化性樹脂に光を照射することにより該光硬化性樹脂を硬化させる、
ことを特徴とする毛束取付方法。
【請求項５】
前記付着させた光硬化性樹脂を平面状に引き伸ばし、該引き伸ばした光硬化性樹脂に光を照射することにより該光硬化性樹脂を硬化させることを特徴とする請求項４記載の毛束取付方法。
【発明の詳細な説明】
【技術分野】
【０００１】
本発明は、かつらを人の自毛に取付けるかつら取付方法、及び、毛束を人の自毛に取付ける毛束取付方法に関する。
【背景技術】
【０００２】
従来、かつらを人の頭部に取付ける場合には、かつらの底面を人の頭部に接着する手法のほか、かつらの周縁に設けられた固定用糸に自毛を結び付ける手法等がとられている。なお、固定用糸に自毛を結び付ける場合には、その結び目に熱硬化性樹脂を付着させて補強する手法もとられている。
【０００３】
また、毛束を自毛に取付ける場合には、熱硬化性樹脂を用いて毛束と自毛とを接着する手法等がとられている。
ところで、特許文献１には、増毛法の発明ではあるが、熱硬化性樹脂等の樹脂硬化剤や接着剤を用いるよりも増毛法を簡易に且つ能率良く行うために、増毛用毛髪を自毛の地肌に近い部分に結び付け、その結び目又は結び目位置より少しばかり間隔を置いた自毛先端側において、光硬化性樹脂を硬化させることでストッパー体を形成する増毛法が開示されている。
【特許文献１】特開平１０−３１０９２４号公報
【発明の開示】
【発明が解決しようとする課題】
【０００４】
しかしながら、上記特許文献１記載の増毛法を毛束の取付けに適用しようにも、毛束の毛の本数が多いほど、毛束を自毛に結び付けるのが困難になる。また、上記特許文献１記載の増毛法をかつらの取付けに適用する場合も、例えばかつらの周縁の固定用糸を自毛に結び付けるのは困難である。
【０００５】
また、かつらを自毛に取付ける場合には、複数箇所において、それぞれ複数本の自毛をかつらに結び付けるのが通常であり、上記特許文献１記載のようにストッパー体として光硬化性の樹脂硬化剤を付着させると、光硬化性樹脂を多量に用いる必要がある上に、光硬化性樹脂が目立つために外観を損ねてしまう。
【０００６】
このことは、毛束を自毛に取付ける場合でも同様であり、上記特許文献１記載の手法によって毛量の多い毛束を１本或いは複数本の自毛に対し取付けると、光硬化性樹脂を多量に用いる必要がある上に、光硬化性樹脂が目立つために外観を損ねてしまう。
【０００７】
本発明の第１の課題は、上記従来の実情に鑑み、かつらや毛束を簡単かつ確実に自毛に取付けることができる取付方法を提供することである。
また、本発明の第２の課題は、上記従来の実情に鑑み、１箇所につき複数本の自毛をかつらに結び付けることによりかつらを取付ける場合や、毛量の多い毛束を自毛に取付ける場合でも、少量の光硬化性樹脂でかつらや毛束を簡単かつ確実に取付けることができる取付方法を提供することである。
【課題を解決するための手段】
【０００８】
上記課題を解決するために、本発明のかつら取付方法は、かつらを人の自毛に取付けるかつら取付方法において、上記自毛を、上記かつらの一部を巻き込むように結び付け、その結び目に光硬化性樹脂を付着させ、この付着させた光硬化性樹脂に光を照射することによりこの光硬化性樹脂を硬化させるようにする。
【０００９】
また、上記付着させた光硬化性樹脂を平面状に引き伸ばし、この引き伸ばした光硬化性樹脂に光を照射することによりこの光硬化性樹脂を硬化させるようにするとよい。
また、上記かつらの一部は、かつらの周縁に沿って設けられた固定用糸であるようにするとよい。
【００１０】
上記課題を解決するために、本発明の毛束取付方法は、毛束を人の自毛に取付ける毛束取付方法において、上記自毛を、上記毛束を巻き込むように結び付け、その結び目に光硬化性樹脂を付着させ、この付着させた光硬化性樹脂に光を照射することによりこの光硬化性樹脂を硬化させるようにする。
【００１１】
また、上記付着させた光硬化性樹脂を平面状に引き伸ばし、この引き伸ばした光硬化性樹脂に光を照射することによりこの光硬化性樹脂を硬化させるようにするとよい。
【発明の効果】
【００１２】
本発明によれば、自毛を、かつらの一部又は毛束を巻き込むように結び付け、その結び目に光硬化性樹脂を付着させるため、かつらや毛束を簡単かつ確実に取付けることができる。
【００１３】
また、光硬化性樹脂を平面状に引き伸ばし、この引き伸ばした光硬化性樹脂に光を照射することにより該光硬化性樹脂を硬化させるようにした場合には、接着面積を有効に増やすことができ、したがって、例えば、１箇所につき複数本の自毛をかつらに結び付けることによりかつらを取付ける場合や、毛量の多い毛束を自毛に取付ける場合でも、少量の光硬化性樹脂でかつらや毛束を簡単かつ確実に取付けることができる。
【発明を実施するための最良の形態】
【００１４】
以下、本発明の実施の形態に係るかつら取付方法及び毛束取付方法について、図面を参照しながら説明する。
図１は、本発明の一実施の形態に係るかつら取付方法により自毛６に対し取付けられるかつら１を示す斜視図である。
【００１５】
図１に示すかつら１は、網状のかつらベース２と、このかつらベース２の周縁に沿って縫着されて設けられた固定用糸４とを備える。
なお、図１及び後述する図２Ａ〜図２Ｎに示すかつらベース２は、固定用糸４及び自毛６を明瞭に図示するため、人工毛又は人毛が植毛されていない状態で示す。また、図示は省略するが、かつらベース２の周縁には、かつらベース２を例えば３重乃至５重に折り返してなる周縁部が例えばミシン等で縫着することにより形成されているものとする。
【００１６】
また、かつらベース２のうち、植毛される人工毛又は人毛の分け目位置や、装着時に前方となる位置には、例えばポリウレタンからなり、装着者の頭皮の色に近似した肌色等を呈する人工皮膚部を形成するとよい。
【００１７】
以下、図１のＡ部拡大図である図２Ａ〜図２Ｎを参照しながら、かつら１の取付方法について説明する。これらの図においては、人の頭部５の自毛６は、固定用糸４に結び付ける自毛６のみを図示し、固定用糸４の見えない部分（かつらベース２の裏側部分）については点線で示す。
【００１８】
図２Ａに示すように、カギ針７の先端に形成されたカギ部７ａにより、固定用糸４をかつらベース２の裏側から引っ掛け、固定用糸４を下側に引き出して弛ませ、図２Ｂに示すように固定用糸ループ４ａを形成する。
【００１９】
この際、カギ針７による固定用糸４の引き出しは、固定用糸４の縫着が外れないような強さで行う必要がある。また、固定用糸ループ４ａの大きさは、自毛６を固定用糸４に結び付けることができる範囲で適宜決定するとよい。
【００２０】
次に、図２Ｃに示すように、固定用糸ループ４ａのループ先端位置Ｂを確認しておき、カギ針７を外して固定用糸ループ４ａを自然状態にする。
そして、図２Ｄに示すように、ループ先端位置Ｂよりやや上方から生えている例えば５本〜数１０本程度の自毛６を取り出す。ここで、ループ先端位置Ｂよりやや上方としたのは、ループ先端位置Ｂより下方の自毛６を取り出すと自毛６を固定用糸ループ４ａに結び付ける際に自毛６を浮き上がらせる状態で結び付けることになってしまうからである。
【００２１】
次に、図２Ｅに示すように、カギ針７により、固定用糸ループ４ａを再度形成すると共に、取り出しておいた自毛６を固定用糸ループ４ａにくぐらせて固定用糸ループ４ａの外側（上側）に引き出す。そして、図２Ｆに示すように、カギ針７を固定用糸ループ４ａの内側から外側に通し、固定用糸ループ４ａ上にくぐらせた自毛６に引っ掛け、図２Ｇに示すように、カギ部７ａにより、固定用糸ループ４ａ上にくぐらせた自毛６の一部を固定用糸ループ４ａ内に引き戻す。
【００２２】
その後、図２Ｈに示すように、固定用糸ループ４ａ内に引き戻していない部分の自毛６の外側にカギ針７を持っていき、図２Ｉに示すように、自毛６をカギ針７に１，２回巻き付ける（図中では１回）。そして、図２Ｊに示すように、カギ針７により、巻き付けた自毛６を固定用糸ループ４ａ内に引き戻した部分の自毛６からなる輪に挿通させる。これにより、図２Ｋに示すように、自毛６の結び目６ａが固定用糸ループ４ａを巻き込んだ状態で固定用糸ループ４ａに結び付く。
【００２３】
次に、図２Ｌに示すように、結び目６ａを中心に光硬化性樹脂８を付着させる。この付着させた光硬化樹脂８は、結び目６ａを覆うように付着させると、例えば、球状又はそれに近似した形状に付着するが、図２Ｍに示すように、平面状に引き伸ばす（８´）。光硬化性樹脂８を平面状に引き伸ばす場合には、例えば、光を透過する板状部材により挟み込むことで光硬化性樹脂８を押し拡げればよい。
【００２４】
なお、光硬化性樹脂８を平面状に引き伸ばす場合には、人の頭皮と平行となるようにするとよく、また、自毛６の結び目６ａが露出しない程度の厚みで、結び目６ａ近傍の複数本の自毛６及び固定用糸ループ４ａを覆うように引き伸ばすとよい。
【００２５】
次に、光を透過する板状部材等により挟み込んだ状態の光硬化性樹脂８´に対し、図示しない光照射器によって、図２Ｎに示すように、例えば可視光を照射することにより、光硬化性樹脂８´を硬化させる。
【００２６】
なお、本実施の形態では、かつらベース２を網状のものとして説明したが、かつらベース２の一部又は全部が樹脂製の人工皮膚部からなるようにしてもよい。
また、本実施の形態では、結び目６ａを中心に結び目６ａ近傍に亘って光硬化性樹脂８を付着させる例について説明したが、自毛６の先端側において、結び目６ａが解けた際の補強用に、別個に光硬化性樹脂を硬化させるようにしてもよい。
【００２７】
以上説明した本実施の形態によれば、自毛６を、かつら１の一部である固定用糸４を巻き込むように結び付け、その結び目６ａに光硬化性樹脂８を付着させるため、かつら１を簡単かつ確実に取付けることができる。
【００２８】
また、本実施の形態では、光硬化性樹脂８を平面状に引き伸ばし、この引き伸ばした光硬化性樹脂８´に光を照射することにより光硬化性樹脂８´を硬化させるため、接着面積を有効に増やすことができ、したがって、例えば、１箇所につき複数本の自毛６をかつら１に結び付けることによりかつら１を取付ける場合でも、少量の光硬化性樹脂８でかつら１を簡単かつ確実に取付けることができる。
【００２９】
図３Ａ〜図３Ｆは、本発明の他の実施の形態に係る毛束取付方法を説明するための概略図である。
本実施の形態では、毛束１１を自毛６に取付ける例について説明する。なお、図３Ａ〜図３Ｆでは、人の頭部５上の自毛６のうち毛束１１に結び付けるもののみを示す。
【００３０】
まず、図３Ａに示すように、自毛６で輪６ｂをつくり、この輪６ｂに自毛６の先端を通して、先端を引っ張れば玉結びができる状態にしておく。
次に、図３Ｂに示すように、接着剤等により先端１１ａで束ねた毛束１１を、その先端１１ａのみが自毛６の上記輪６ｂの中に入るようにする。そして、図３Ｃに示すように、自毛６の先端を引っ張ることで、自毛６の輪６ｂが毛束１１の先端１１ａを巻き込むようにして、自毛６の結び目６ｃを、毛束１１の先端１１ａに形成する。
【００３１】
この後、図３Ｄに示すように、結び目６ｃを中心に光硬化性樹脂８を付着させる。この付着させた光硬化樹脂８は、結び目６ｃを覆うように付着させると、例えば、球状又はそれに近似した形状に付着するが、図３Ｅに示すように、平面状に引き伸ばす（８´）。光硬化性樹脂８を平面状に引き伸ばす場合には、例えば、光を透過する板状部材により挟み込むことで光硬化性樹脂８を押し拡げればよい。
【００３２】
なお、光硬化性樹脂８を平面状に引き伸ばす場合には、人の頭皮と平行となるようにするとよく、また、自毛６の結び目６ｃが露出しない程度の厚みで、結び目６ｃ近傍の複数本の自毛６及び毛束１１を覆うように引き伸ばすとよい。
【００３３】
次に、光を透過する板状部材等により挟み込んだ状態の光硬化性樹脂８´に対し、図示しない光照射器等によって、図３Ｅに示すように例えば可視光を照射することにより、光硬化性樹脂８´を硬化させる。
【００３４】
以上説明した本実施の形態によれば、自毛６を、毛束１１を巻き込むように結び付け、その結び目６ａに光硬化性樹脂８を付着させるため、毛束１１を簡単かつ確実に取付けることができる。
【００３５】
また、本実施の形態では、光硬化性樹脂８を平面状に引き伸ばし、この引き伸ばした光硬化性樹脂８´に光を照射することにより光硬化性樹脂８´を硬化させるため、光硬化性樹脂８の接着面積を有効に増やすことができ、したがって、例えば、毛量の多い毛束１１を自毛６に取付ける場合でも、少量の光硬化性樹脂８で毛束１１を簡単かつ確実に取付けることができる
なお、上記一実施の形態及び他の実施の形態では、自毛６の結び方の一例と共に取付方法を説明したが、結び方は、自毛６を、固定用糸４（一実施の形態）や毛束１１（他の実施の形態）を巻き込むように結び付けるものであれば他の結び方を用いることも可能である。
【図面の簡単な説明】
【００３６】
【図１】本発明の一実施の形態に係るかつら取付方法により自毛に対し取付けられるかつらを示す斜視図である。
【図２Ａ】本発明の一実施の形態に係るかつら取付方法を説明するための概略図（その１）である。
【図２Ｂ】本発明の一実施の形態に係るかつら取付方法を説明するための概略図（その２）である。
【図２Ｃ】本発明の一実施の形態に係るかつら取付方法を説明するための概略図（その３）である。
【図２Ｄ】本発明の一実施の形態に係るかつら取付方法を説明するための概略図（その４）である。
【図２Ｅ】本発明の一実施の形態に係るかつら取付方法を説明するための概略図（その５）である。
【図２Ｆ】本発明の一実施の形態に係るかつら取付方法を説明するための概略図（その６）である。
【図２Ｇ】本発明の一実施の形態に係るかつら取付方法を説明するための概略図（その７）である。
【図２Ｈ】本発明の一実施の形態に係るかつら取付方法を説明するための概略図（その８）である。
【図２Ｉ】本発明の一実施の形態に係るかつら取付方法を説明するための概略図（その９）である。
【図２Ｊ】本発明の一実施の形態に係るかつら取付方法を説明するための概略図（その１０）である。
【図２Ｋ】本発明の一実施の形態に係るかつら取付方法を説明するための概略図（その１１）である。
【図２Ｌ】本発明の一実施の形態に係るかつら取付方法を説明するための概略図（その１２）である。
【図２Ｍ】本発明の一実施の形態に係るかつら取付方法を説明するための概略図（その１３）である。
【図２Ｎ】本発明の一実施の形態に係るかつら取付方法を説明するための概略図（その１４）である。
【図３Ａ】本発明の他の実施の形態に係る毛束取付方法を説明するための概略図（その１）である。
【図３Ｂ】本発明の他の実施の形態に係る毛束取付方法を説明するための概略図（その２）である。
【図３Ｃ】本発明の他の実施の形態に係る毛束取付方法を説明するための概略図（その３）である。
【図３Ｄ】本発明の他の実施の形態に係る毛束取付方法を説明するための概略図（その４）である。
【図３Ｅ】本発明の他の実施の形態に係る毛束取付方法を説明するための概略図（その５）である。
【図３Ｆ】本発明の他の実施の形態に係る毛束取付方法を説明するための概略図（その６）である。
【符号の説明】
【００３７】
１      かつら
２      かつらベース
４      固定用糸
４ａ      固定用糸ループ
５      人の頭部
６      自毛
６ａ      結び目
６ｂ      輪
６ｃ      結び目
７      カギ針
７ａ      カギ部
８      光硬化性樹脂
１１      毛束
１１ａ      先端
【図１】
2010053489.tif 000003
【図２Ａ】
2010053489.tif 000004
【図２Ｂ】
2010053489.tif 000005
【図２Ｃ】
2010053489.tif 000006
【図２Ｄ】
2010053489.tif 000007
【図２Ｅ】
2010053489.tif 000008
【図２Ｆ】
2010053489.tif 000009
【図２Ｇ】
2010053489.tif 000010
【図２Ｈ】
2010053489.tif 000011
【図２Ｉ】
2010053489.tif 000012
【図２Ｊ】
2010053489.tif 000013
【図２Ｋ】
2010053489.tif 000014
【図２Ｌ】
2010053489.tif 000015
【図２Ｍ】
2010053489.tif 000016
【図２Ｎ】
2010053489.tif 000017
【図３Ａ】
2010053489.tif 000018
【図３Ｂ】
2010053489.tif 000019
【図３Ｃ】
2010053489.tif 000020
【図３Ｄ】
2010053489.tif 000021
【図３Ｅ】
2010053489.tif 000022
【図３Ｆ】
2010053489.tif 000023